(57)【要約】【課題】  非接触型ＩＣモジュールとＨＤＤとを内蔵した携帯電子機器において、ＨＤＤを衝撃から保護できるようにする。【解決手段】  非接触型ＩＣモジュール８と、磁気ヘッド２８を所定の退避位置から磁気記録媒体２９上に移動させて情報の書き込み又は読み出しを行う磁気記録装置６と、磁気を検出する磁気検出部３１と、磁気ヘッド２８が磁気記録媒体２９上に位置しているときに、磁気検出部３１が磁気を検出すると、磁気ヘッド２８を磁気記録媒体２９上から退避位置に退避させるように制御する制御手段２１とを備えることを特徴とする携帯電子機器を提供する。【選択図】        図４
2006155770.tif 000002
【特許請求の範囲】
【請求項１】
非接触型ＩＣモジュールと、磁気ヘッドを所定の退避位置から磁気記録媒体上に移動させて情報の書き込み又は読み出しを行う磁気記録装置と、磁気を検出する磁気検出部と、前記磁気ヘッドが前記磁気記録媒体上に位置しているときに、前記磁気検出部が磁気を検出すると、前記磁気ヘッドを前記磁気記録媒体上から前記退避位置に退避させるように制御する制御手段とを備えることを特徴とする携帯電子機器。
【請求項２】
前記磁気は、前記非接触型ＩＣモジュールとの間で無線通信を行う外部機器から放射されるものであることを特徴とする請求項１に記載の携帯電子機器。
【請求項３】
前記携帯電子機器は、報知手段を備え、
前記制御手段は、前記磁気検出部による磁気の検出に基づいて、前記報知手段を報知させることを特徴とする請求項１又は請求項２に記載の携帯電子機器。
【請求項４】
前記携帯電子機器は、表示部を備え、
前記制御手段は、前記磁気検出部による磁気の検出に基づいて、前記表示部に前記磁気記録装置による情報の書き込み又は読み出しを中止又は禁止する旨を表示するようにしたことを特徴とする請求項１から請求項３のいずれか１項に記載の携帯電子機器。
【請求項５】
前記制御手段による前記磁気ヘッドの退避が、前記磁気記録装置による情報の書き込み又は読み出しの途中であって、
前記磁気検出部が前記磁気を検出しなくなると、前記制御部が前記磁気記録装置による情報の前記書き込み又は読み出しを再開させることを特徴とする請求項１から請求項４のいずれか１項に記載の携帯電子機器。
【発明の詳細な説明】
【技術分野】
【０００１】
本発明は、ＨＤＤ（ハードディスクドライブ装置）等の磁気記録装置と非接触型ＩＣモジュールとを備えた携帯電話機、携帯情報端末（ＰＤＡ）、音楽再生装置、デジタルカメラ、デジタルビデオカメラ等の携帯電子機器に関するものである。
【背景技術】
【０００２】
近年、携帯電話機、携帯情報端末（ＰＤＡ）、音楽再生装置、デジタルカメラ、デジタルビデオカメラ等の携帯電子機器には、無線通信機能を有する非接触型ＩＣモジュールを備えたものがある（例えば、特許文献１参照。）。非接触型ＩＣモジュールの用途としては、例えば鉄道の乗車券・定期券機能や電子マネー機能、プリペイド機能、身分証明書機能等に使用されている。例えば、ユーザが非接触型ＩＣモジュールを備えた携帯電話機を駅の自動改札機のデータの書き込み・読み出しを行うデータ送受信装置（外部機器）にかざすことで無線通信によるデータ送受信が行われ、自動的に改札を行うことができる。あるいは商品を購入する際に非接触型ＩＣモジュールを備えた携帯電話機と店に設置されたデータ送受信装置と無線通信することにより商品の代金を支払うことができる。
この非接触型ＩＣモジュールは、電磁誘導を利用して上記データ送受信装置との無線通信が行うものである。そして、非接触型ＩＣモジュールとデータ送受信装置との無線通信は、微少な距離で行われるため、この無線通信の際には、非接触型ＩＣモジュールを備える携帯電子機器をデータ送受信装置に押し当てることが一般に行われている。
【０００３】
一方、携帯電子機器で扱うデータは、音声データ、画像データ、文字データ等があるが、近年におけるより高音質、高画質の要求に対応するためにますます大容量のメモリが必要になってきている。特に、最近では小型のハードディスクドライブ（以下、ＨＤＤという。）が開発され、携帯電子機器に内蔵させることも可能になってきている（例えば、特許文献２参照。）。このようなＨＤＤは、高速で回転する磁気ディスクに微少距離を隔てて浮上する磁気ヘッドとの間で情報の記録／再生を行うもので、データを読み書きするヘッド機構等には非常に精密な機構が用いられている。
以上のことから、近い将来においては、これら非接触型ＩＣモジュール及びＨＤＤを内蔵した携帯電子機器が実現する可能性が高い。
【特許文献１】実用新案登録第３０６４２０７号公報
【特許文献２】特開平０９−６５２６８号公報
【発明の開示】
【発明が解決しようとする課題】
【０００４】
しかしながら、非接触型ＩＣモジュールとＨＤＤとを内蔵した携帯電子機器において、ＨＤＤによる情報の読み書きが行われている最中に、非接触型ＩＣモジュールとデータ送受信装置との無線通信を行った場合には、携帯電子機器がデータ送受信装置に押し当てられるため、この衝撃によってＨＤＤにヘッドクラッシュ等が発生し、データの読み書きに誤動作が生じたり、データの破壊等が生じるという問題があった。また、前記電磁誘導によりアンテナコイルに電力を発生させるための磁力が書き込み・読み出し中のＨＤＤに悪影響を与える虞もあった。
この発明は、上述した事情に鑑みてなされたものであって、内蔵されたＨＤＤを衝撃から保護できる携帯電子機器を提供することを目的としている。
【課題を解決するための手段】
【０００５】
本発明に係る携帯電子機器は、非接触型ＩＣモジュールと、磁気ヘッドを所定の退避位置から磁気記録媒体上に移動させて情報の書き込み又は読み出しを行う磁気記録装置と、磁気を検出する磁気検出部と、前記磁気ヘッドが前記磁気記録媒体上に位置しているときに、前記磁気検出部が磁気を検出すると、前記磁気ヘッドを前記磁気記録媒体上から前記退避位置に退避させるように制御する制御手段とを備えることを特徴とする。
【０００６】
また、本発明に係る携帯電子機器は、前記磁気が、前記非接触型ＩＣモジュールとの間で無線通信を行う外部機器から放射されるものであることを特徴とする
さらに、本発明に係る携帯電子機器は報知手段を備え、前記制御手段は、前記磁気検出部による磁気の検出に基づいて、前記報知手段を報知させることを特徴とする。
【０００７】
また、本発明に係る携帯電子機器は表示部を備え、前記制御手段は前記磁気検出部による磁気の検出に基づいて、前記表示部に前記磁気記録装置による情報の書き込み又は読み出しを中止又は禁止する旨を表示するようにしたことを特徴とする。
さらに、本発明に係る携帯電子機器は、前記制御手段による前記磁気ヘッドの退避が、前記磁気記録装置による情報の書き込み又は読み出しの途中であって、前記磁気検出部が前記磁気を検出しなくなると、前記制御部が前記磁気記録装置による情報の前記書き込み又は読み出しを再開させることを特徴とする。
【発明の効果】
【０００８】
この発明によれば、磁気検出部が磁気を検出した際には、磁気記録装置による情報の書き込み又は読み出しを中止又は禁止させるようにしたことから、非接触型ＩＣモジュールと外部機器との無線通信を行う際に、携帯電子機器を外部機器に押し当てたとしても、この押し当ての衝撃によって磁気記録装置のヘッドクラッシュや誤動作が発生することを未然に防止できる。また、前記磁気によって誤った情報の書き込み又は読み出しが行われることも防止できる。
【発明を実施するための最良の形態】
【０００９】
図１から図６は本発明に係る第１の実施形態を示しており、ここで説明する実施の形態は、この発明を携帯電話機に適用した場合のものである。図１，２に示すように、この実施の形態に係る携帯電話機（携帯電子機器）１０は、第１の筐体１及び第２の筐体２を備えている。これら２つの筐体１，２は、ヒンジ部３を介して折り畳み自在に連結されることにより相互に開閉できるよう構成されている。
折り畳まれた際に第２の筐体２と対向する第１の筐体１の対向面１ａには、表示部４とスピーカ部５とを有すると共に、第１の筐体１の内部には、ＨＤＤ部（磁気記録装置）６が設けられている。また、折り畳まれた際に第１の筐体１と対向する第２の筐体２の対向面２ａには、キー操作部７とマイクロフォン９とを有すると共に、第２の筐体２の内部には、非接触型ＩＣモジュール８を備え、さらに第２の筐体２のヒンジ部３近傍には、基地局と通信するための伸縮自在のアンテナ１１が設けられている。
【００１０】
キー操作部７には、４方向キー、決定キー等を有する多機能操作キー１２、操作ガイダンスに関する操作キー１３、メールに関する操作キー１４、Ｗｅｂ閲覧に関する操作キー１５、電話帳に関する操作キー１６、０〜９・＊♯等のキーからなる操作キー１７等が配置されている。
非接触型ＩＣモジュール８は、ＩＣチップ１８とアンテナコイル１９が接続された構成となっており、例えば、第２の筐体２の対向面２ａと反対の外面の一部を構成するバッテリーカバー（不図示）の内面側に配されている。
【００１１】
また、この携帯電話機１０は、図３に示すように、上述したものの他に、ＣＰＵ等の制御部（制御手段）２１と、アンテナ１１に接続された無線通信部２２と、音声処理部２３と、報知部２５と、各種プログラムを格納するROM２６と、処理用のRAM２７と、磁気検出部３１を備えている。
制御部２１は、携帯電話機１０全体を制御するものであり、無線通信部２２は、アンテナ１１を介して通話や通信を行うものである。また、音声処理部２３は、無線通信部２２で受信した音声信号を処理してスピーカ部５に送ったり、マイクロフォン部９において集音した音声を処理して無線通信部２２に送るものである。さらに、報知部２５は、スピーカ部５等による鳴動報知やバイブレータ（図示せず）による振動報知等によってユーザに後述する警告情報等を報知する報知手段を構成している。
なお、前述した表示部４やスピーカ部５は、ユーザに対して視覚的・聴覚的に警告情報等を報知する報知手段としても機能するものである。
【００１２】
図４に示すように、ＨＤＤ部６は、書き込み又は読み出し用の磁気ヘッド２８と磁気ディスク（磁気記録媒体）２９を備えており、磁気ディスク２８に対して画像データ、音声データ等の所定のデータの書き込み又は読み出しを行うように構成されている。また、ＨＤＤ部６は、磁気ディスク２９を回転駆動するモータ、磁気ヘッド２８を移動させるモータ、各モータの回転制御等を含む各種制御や磁気ディスク２９に対するデータの授受等を行う制御回路、及びバッファメモリ等も備えるが図示は省略する。
なお、磁気ヘッド２８は、停止時には所定の退避位置にあり、データの書き込み又は読み出しを行う時は退避位置から磁気ディスク２９上の制御された書き込み又は読み出し位置まで移動して書き込み又は読み出しを行うようになっている。また、この磁気ヘッド２８は、この書き込み又は読み出しが終了すると磁気ディスク２９上から離れて元の位置に退避するようになっている。また、磁気ヘッド２８は、この書き込み又は読み出し中に制御部２１からの指示があった場合にも、一旦退避位置に戻るようになっている。
【００１３】
非接触型ＩＣモジュール８は、自動改札機、券売機、レジ等に設けられたデータ送受信装置（外部機器）３０との間で無線通信を行うものである。
磁気検出部３１は、ホールＩＣ素子や磁気抵抗素子等の磁気センサからなり、特に携帯電話機１０の外方からの磁気を検出するように構成され、ＨＤＤ部６から発生する磁気は検出しないように構成されている。なお、制御部２１は、この磁気検出部３１による磁気の検出に基づいて、磁気ヘッド２８を磁気ディスク２９上から退避位置に退避させるように構成されている。
【００１４】
上述のように構成された携帯電話機１０を自動改札機で使用する場合の一例について、図５を用いて以下に説明する。なお、ここでは、第１の筐体１と第２の筐体２とを相互に折り畳んだ状態での使用について述べる。
図５に示すように、第１の筐体１と第２の筐体２とは相互に重なっており、表示部４とキー操作部７とが近接対面している。この携帯電話機１０を所有するユーザは、第２の筐体２の非接触型ＩＣモジュール８部分を下に向けてデータ送受信装置３０のリーダ・ライタ部２８の上方にかざしながら自動改札機を通過することにより、非接触型ＩＣモジュール８とデータ送受信装置３０との間で所定のデータの送受信が行われて自動改札処理が実行される。このデータの送受信の際には、前述したように、ユーザは携帯電話機１０をリーダ・ライタ部２８に強く押し当てることが多い。
【００１５】
ここで、非接触型ＩＣモジュール８のアンテナコイル１９は、データ送受信装置３０から放射される一定の磁力（磁気）３２を利用した電磁誘導によって発電し、この電力をＩＣチップに供給すると共に、データ送受信装置３０との間の無線通信用のアンテナとして機能する。なお、ここでは第１の筐体１と第２の筐体２を折り畳んだ状態での使用を説明しているが、図１、図２のように開いた状態で使用しても構わない。
【００１６】
上述した非接触型ＩＣモジュール８とデータ送受信装置３０とのデータの送受信が行われる場合の携帯電話機１０の動作について図６のフローチャートを参照して説明する。
制御部２１は、磁気検出部３１における磁気の検出を監視しており（ステップＳ０）、磁気の検出の有無を判定している（ステップＳ１）。ここで、磁気検出部３１が磁気を検出した場合には、現在ＨＤＤ部６が書き込み又は読み出し中であるか否かを判定する（ステップＳ２）。
そして、書き込み又は読み出し中であると判定された場合には、ＨＤＤ部６の書き込み又は読み出し動作を中止させてから（ステップＳ３）、磁気ヘッド２８を磁気ディスク２９上から所定の退避位置に退避させ（ステップＳ４）、ＨＤＤ部６の書き込み又は読み出し動作を禁止する（ステップＳ６）。
【００１７】
また、ステップＳ２において、ＨＤＤ部６が書き込み又は読み出し中ではないと判定された場合には、磁気ヘッド２８が退避位置にあるか否かを判定する（ステップＳ５）。ここで、磁気ヘッド２８が退避位置にないと判定された場合には、前述のステップＳ４，ステップＳ６を実行する。また、ステップＳ５において、磁気ヘッド２８が退避位置にあると判定された場合には、ステップＳ６のみを実行する。
このステップＳ６の終了後には、報知部２５や表示部４によりＨＤＤ部６の書き込み又は読み出し動作が中断されたこと、若しくは、禁止中であることがユーザに報知される（ステップＳ７）。
【００１８】
ステップＳ７の終了後には、磁気検出部３１が磁気を検出しているか否かを判定し（ステップＳ８）、磁気検出部３１が磁気を検出している場合には、このステップＳ８を継続して行う。すなわち、ＨＤＤ部６の書き込み又は読み出し動作の禁止は、磁気検出部３１における磁気の検出が終了するまで継続して行われる。
そして、ステップＳ８において、磁気検出部３１が磁気を検出しなくなった場合には、ＨＤＤ部６の書き込み又は読み出し動作の禁止を解除すると共に、磁気ヘッド２８を退避位置から元の位置に復帰させる（ステップＳ９）。すなわち、磁気ヘッド２８は、ステップＳ４を実行する前の位置まで移動することになる。
【００１９】
このステップＳ９の終了後には、ＨＤＤ部６の書き込み又は読み出し動作をステップＳ２において中断されていたか否かを判定し（ステップＳ１０）、ＨＤＤ部６の書き込み又は読み出し動作が中断されていた場合には、この書き込み又は読み出し動作を再開させる（ステップＳ１１）。また、ステップＳ３において、ＨＤＤ部６の書き込み又は読み出し動作が中断されていない場合には、報知部２５や表示部４によってＨＤＤ部６の書き込み又は読み出し動作の禁止が解除されたことをユーザに報知する（ステップＳ１２）。
これらステップＳ１１，Ｓ１２の終了後には、ステップＳ０に戻って、再度磁気検出部３１における磁気の検出を監視する。
【００２０】
以上のように、この携帯電話機１０によれば、磁気検出部３１が磁気を検出した際には、ＨＤＤ部６による情報の書き込み又は読み出しを中止又は禁止させるようにしたことから、非接触型ＩＣモジュール８とデータ送受信装置３０との無線通信を行う際に、携帯電話機１０をデータ送受信装置３０に押し当てたとしても、この押し当ての衝撃によってＨＤＤ部６のヘッドクラッシュや誤動作が発生することを未然に防止できる。また、磁気によって誤った情報の書き込み又は読み出しが行われることも防止できる。
【００２１】
また、報知部２５や表示部４によってＨＤＤ部６による情報の書き込み又は読み出しが中止又は禁止されることをユーザに知らせることができるため、ユーザは、ＨＤＤ部６による情報の書き込み又は読み出しが中止又は禁止される原因を予め知ることができ、携帯電話機１０の使用に際して違和感を憶えることを防止できる。
すなわち、例えば、携帯電話機１０のユーザが磁気ディスク２９に記録された音楽データを聞いている際に、音楽再生が停止することを報知部２５や表示部４によって事前にユーザに知らせることができるため、ユーザは、この停止動作が携帯電話機１０の誤動作ではないことを容易に認識できる。
【００２２】
さらに、磁気検出部３１が磁気を検出しなくなった際には、ＨＤＤ部６による情報の書き込み又は読み出しが自動的に再開されるため、この書き込み又は読み出しの中止後に、ユーザがＨＤＤ部６の書き込み又は読み出しを再開させる操作を行う必要が無くなる。したがって、ユーザは携帯電話機１０を容易に取り扱うことができる。
【００２３】
次に、本発明による第２の実施形態について図７，８を参照して説明する。なお、ここでは、第１の実施形態との相違点のみについて説明し、携帯電話機１０の構成要素と同一の部分については同一符号を付し、その説明を省略する。また、この実施形態において、携帯電話機（携帯電子機器）３４は、１つの筐体３５から構成されているが、第１の実施形態と同様に、２つの筐体から構成されるとしてもよい。
本実施形態では、図７，８に示すように、第１の実施形態に記載した非接触型ＩＣモジュール８を含むＩＣカード３３が形成されており、このＩＣカード３３を筐体３５のカード挿入口３６に着脱可能に装着するようになっている。また、ＨＤＤ部６もＨＤＤ装着口３７に着脱可能に装着するようになっている。
【００２４】
上述のＩＣカード３３をカード挿入口３６に装着した状態においては、ＩＣカード３３の接続部（図示せず）がカード挿入口３６内に設けられた非接触ＩＣ接続部３８に接続される。また、ＨＤＤ部６がＨＤＤ装着口３７に装着されると、ＨＤＤ部６の接続部（特に図示せず）がＨＤＤ装着口３７内に設けられたＨＤＤ接続部３９に接続される。
この携帯電話機３４によれば、外付けのＩＣカード３３及び外付けのＨＤＤ部６を用いることにより、携帯電話機３４を小型化、軽量化を図ることができる。また、１つの携帯電話機３４で複数のＩＣカード３３及び複数のＨＤＤ部６を使用できるので、ユーザの利便性を高めながら第１の実施形態と同様の効果を得ることができる。なお、ＩＣカード３３又はＨＤＤ部６のいずれか一方のみが着脱可能で、他方は携帯電話機３４に内蔵されていてもよい。
【００２５】
なお、上述した第１，第２の実施形態において、ＨＤＤ部６の書き込み又は読み出し動作の禁止やその解除の報知は、報知部２５や表示部４、スピーカ部５によって行われるとしたが、これに限ることはなく、少なくとも光・音・表示・振動等によってユーザに報知できる報知手段によって行われればよい。したがって、例えば、筐体にＬＥＤ等の発光手段を設け、この発光手段により報知手段を構成するとしても構わない。
また、ステップＳ９では磁気ヘッド２８を退避位置から元の位置に復帰させるとしたが、これに限ることはなく、例えば、ステップＳ１０において磁気ヘッド２８を退避位置から元の位置に移動させるとしても構わない。
【００２６】
また、報知部２５や表示部４によるＨＤＤ部６の書き込み又は読み出し動作中断・禁止中の報知（ステップＳ７）は、ＨＤＤ部６の読み書き動作を禁止した（ステップＳ６）後に行われるとしたが、これに限ることはなく、例えば、ステップＳ３，Ｓ４の前に行われるとしても構わない。
すなわち、図９に示すように、ステップＳ２においてＨＤＤ部６が読み書き中であると判断された場合や、ステップＳ５において磁気ヘッド２８が磁気ディスク２９上にあると判断された場合に、報知部２５や表示部４によりＨＤＤ部６の読み書き動作を中断すること、若しくは、禁止することを報知する（ステップＳ２１，Ｓ２２）。そして、このステップＳ２１，Ｓ２２の後に、ＨＤＤ部６の読み書き動作を中断したり（ステップＳ３）、磁気ヘッド２８を退避させたり（ステップＳ４）するとしても構わない。
【００２７】
なお、この構成の場合には、ステップＳ６の後に、磁気ヘッド２８の退避が完了したこと、若しくは、磁気ヘッド２８が退避位置にあることを報知部２５や表示部４によりユーザに報知する（ステップＳ２３）ことが好ましい。
上述した構成の場合には、ＨＤＤ部６が動作中であっても、携帯電話機１０，３４をデータ送受信装置３０に押し当てないように、ユーザにできるだけ早く注意を促すことができる。したがって、ステップＳ２１，Ｓ２２においてユーザに報知する内容は、例えば、「ＨＤＤ部６が動作中である」というものでもよいし、また、「携帯電話機１０，３４をデータ送受信装置３０に近づけないで下さい」というものでも構わない。
また、上記構成の場合には、ステップＳ２３において磁気ヘッド２８の退避が完了したことを報知するため、携帯電話機１０，３４をデータ送受信装置３０に押し当ててもよい状態にあることをユーザが容易に認識できる。
【００２８】
また、ステップＳ８において磁気が検出されなくなったと判断された場合には、ＨＤＤ部６の動作を開始・再開できる状態に復帰させる（ステップＳ９）としたが、これに限ることはなく、ステップＳ１において磁気を一度検出した後には、磁気検出の継続の有無にかかわらず、ＨＤＤ部６の動作が停止した状態に保持すると共に、磁気ヘッド２８を退避位置に保持するとしても構わない。すなわち、例えば、図１０に示すように、ステップＳ２３が終了したあとに、磁気検出部３１による磁気検出がされなくなっても、ＨＤＤ部６の読み書き動作が禁止され続けるようにしても構わない。
【００２９】
この構成の場合、ステップＳ２３が終了した後には、ＨＤＤ部６の読み書き禁止が保持されるため、携帯電話機１０，３４をデータ送受信装置３０に押し当てても、ＨＤＤ部６のヘッドクラッシュや誤動作が発生することを確実に防止できる。
特に、ステップＳ２１，Ｓ２２において「ＨＤＤ部６が動作中である」等の報知に対して、ユーザがこの注意に気づいて携帯電話機１０，３４をデータ送受信装置３０から離しても、すなわち、磁気検出部３１における磁気の検出が中断されても、ＨＤＤ部６の動作は自動的に復帰しないため、この直後に再び携帯電話機１０，３４をデータ送受信装置３０に押し当てても、ＨＤＤ部６の誤動作等を未然に防止できる。
【００３０】
なお、このステップＳ２３が終了した後には、例えば、図１１に示すように、ユーザによる特定操作キーの押下（ステップＳ２４）に基づいて、ステップＳ９が行われるように構成することが好ましい。ここで、特定操作キーとは、例えば、多機能操作キー１２等、キー操作部７を構成する１つの操作キーを示しており、ＨＤＤ部６が動作できる状態に復帰させるスイッチの役割を果たすものである。
また、これに加えて、ステップＳ２４とステップＳ９との間に、ステップＳ１において磁気を検出する時点で、磁気ヘッド２８が磁気ディスク２９上にあったか否かを判定するステップＳ２５を挿入しても良い。
【００３１】
すなわち、ステップＳ１の段階で磁気ヘッド２８が磁気ディスク２９上に無かったことがステップＳ２５において判定された場合には、ＨＤＤ部６に関連する制御部２１の動作が終了する。また、ステップＳ１の段階で磁気ヘッド２８が磁気ディスク２９上にあったことがステップＳ２５において判定された場合には、ステップＳ９に進み、図６と同様のステップＳ１０〜Ｓ１２が行われる。
上述した構成の場合には、ユーザが特定操作キーを押下することにより、ＨＤＤ部６の動作を開始・再開させることができるため、ユーザはさらに簡便に携帯電話機１０，３４を取り扱うことができる。
【００３２】
また、ＨＤＤ部６の書き込み又は読み出しを禁止する動作は、非接触型ＩＣモジュール８とデータ送受信装置３０とデータの送受信の際に行われることに限らず、少なくとも磁気検出部３１の磁気検出に基づくものであればよい。
さらに、これら２つの実施形態においては、２つの筐体１，２を開閉可能に連結した携帯電話機１０や１つの筐体からなる携帯電話機３４について説明したが、携帯電話機に限ることはなく、少なくともＨＤＤ部６及び非接触型ＩＣモジュール８を備えた携帯電子機器であればよい、すなわち、例えば、ＰＤＡや音楽再生装置等の他の携帯電子機器であっても構わない。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３３】
【図１】本発明の第１の実施形態による携帯電話機の開状態で正面側から見た斜視図である。
【図２】図1の携帯電話機を裏側から見た一部破断斜視図である。
【図３】本発明の第１の実施形態による携帯電話機の回路構成を示すブロック図である。
【図４】本発明の第１の実施形態による携帯電話機の主要な回路構成を示すブロック図である。
【図５】本発明の第１の実施形態による携帯電話機を自動改札機で使用する状態を示す側面概略図である。
【図６】磁気検出部が磁気を検出した際の動作を示すフローチャートである。
【図７】本発明の第２の実施形態による携帯電話機を正面側から見た斜視図である。
【図８】本発明の第２の実施形態による携帯電話機の主要な回路構成を示すブロック図である。
【図９】本発明の他の実施形態による携帯電話機において、磁気検出部が磁気を検出した際の動作を示すフローチャートである。
【図１０】本発明の他の実施形態による携帯電話機において、磁気検出部が磁気を検出した際の動作を示すフローチャートである。
【図１１】本発明の他の実施形態による携帯電話機において、ＨＤＤ部の動作を再開させる動作を示すフローチャートである。
【符号の説明】
【００３４】
４  表示部（報知手段）
５  スピーカ部（報知手段）
６  ＨＤＤ部（磁気記録装置）
８  非接触型ＩＣモジュール
１０，３４  携帯電話機（携帯電子機器）
２１  制御部（制御手段）
２５  報知部（報知手段）
２８  磁気ヘッド
２９  磁気ディスク（磁気記録媒体）
３１  磁気検出部
３２  磁力（磁気）
【図１】
2006155770.tif 000003
【図２】
2006155770.tif 000004
【図３】
2006155770.tif 000005
【図４】
2006155770.tif 000006
【図５】
2006155770.tif 000007
【図６】
2006155770.tif 000008
【図７】
2006155770.tif 000009
【図８】
2006155770.tif 000010
【図９】
2006155770.tif 000011
【図１０】
2006155770.tif 000012
【図１１】
2006155770.tif 000013